(57)【要約】【課題】急を要する重要な情報を人が傍にいる端末を探して通知する。【解決手段】端末が設置されている領域と端末を特定する情報と端末が稼動状態である場合に端末の傍らに人がいる確度に関する情報とを関連付けて有する情報ファイルと、端末が設置されている複数の領域について優先的に通知すべき領域の順番に関する情報とを関連付けて有する優先順位ファイルと、端末が稼動状況にあるか否かを判断して、通知すべき領域を判断し、通知すべき領域に設置されている端末を特定し、特定した端末に対して通知すべき情報を出力するように指示する情報通知機能とを有するシステムにおいて、システムが通知すべき情報を受け取って、稼動状況にあると判断した端末について傍らに人がいる確度に応じて順序付け、順序付けた情報に応じて通知すべき端末を特定して通知すべき情報を出力するよう指示することにより解決される。【選択図】図１
2004295218.tif 000002
【特許請求の範囲】
【請求項１】
家電端末が設置されている領域と、家電端末を特定する情報と、家電端末が稼動状態である場合に該家電端末の傍らに人がいる確度に関する情報とを関連付けて有する家電情報ファイルと、家電端末が設置されている複数の領域について優先的に通知すべき領域の順番に関する情報とを関連付けて有する優先順位ファイルと、通知すべき情報を受け取って、家電端末が稼動状況にあるか否かを判断して、稼動状況と前記優先順位ファイルとを参照して通知すべき領域を判断し、前記家電情報ファイルを参照して通知すべき領域に設置されている家電端末を特定し、特定した家電端末に対して通知すべき情報を出力するように指示する情報通知機能と、
を有するシステムにおいて実行される方法であって、
前記システムが、通知すべき情報を受け取って、
前記システムが、各家電端末が稼動状況にあるか否かを判断し、
前記システムが、稼動状況にあると判断した家電端末について、前記家電情報ファイルを参照して傍らに人がいる確度に応じて順序付け、
前記システムが、前記確度に応じて順序付けた情報に応じて、通知すべき家電端末を特定し、
前記システムが、前記特定した家電端末に対して通知すべき情報を出力するよう指示すること、
を特徴とする重要情報の迅速な通知方法。
【請求項２】
前記システムが、前記家電端末が設置されている複数の領域に立ち入る人に関する情報を有する家族情報ファイルをあわせて有し、
前記情報通知機能が、通知すべき情報とあわせて該通知すべき情報を受け取るべき対象に関する情報を受け取り、
前記家電端末が、前記情報通知機能から指示された通知すべき情報を確認する人に関する情報を受け取って、該情報通知機能に返信する機能をあわせて有し、
前記システムが、前記家電端末から前記確認する人に関する情報を受け取って、前記家族情報ファイルの情報と、前記通知すべき情報が有する該通知すべき情報を受け取るべき対象に関する情報とを参照して、前記確認する人が情報を受け取るべき対象の条件を満たすかを判断し、満たさないと判断した場合には、次なる家電端末を特定し、特定した端末に対して通知すべき情報を出力するよう指示すること、
を特徴とする請求項１に記載の重要情報の迅速な通知方法。
【請求項３】
家電端末が設置されている領域と家電端末を特定する情報とを関連付けて有する家電情報ファイルと、設置されている領域について人がいるか否かに関する情報を情報通知機能に通知するセンサと、通知すべき情報を受け取って、前記センサから得られる情報を参照して通知すべき領域を判断し、前記家電情報ファイルを参照して通知すべき領域に設置されている家電端末を特定し、特定した家電端末に対して通知すべき情報を出力するように指示する情報通知機能と、
を有するシステムにおいて実行される方法であって、
前記システムが、通知すべき情報を受け取って、
前記システムが、前記センサから領域について人がいるか否かに関する情報を受け取って、前記家電情報ファイルを参照して前記人がいると判断した領域に設置された家電端末を特定し、
前記システムが、前記特定した家電端末に対して通知すべき情報を出力するよう指示すること、
を特徴とする重要情報の迅速な通知方法。
【請求項４】
前記システムが、家電端末が設置されている複数の領域について優先的に通知すべき領域の順番に関する情報とを関連付けて有する優先順位ファイルを合わせて有し、
前記システムが、前記センサから領域について人がいるか否かに関する情報を受け取って、前記人がいると判断した領域について前期優先順位ファイルを参照して通知すべき情報を出力するように指示をする家電端末の設置された領域を優先付け、優先付けた領域ごとに前記家電情報ファイルを参照して家電端末を順序付けて特定すること、
を特徴とする請求項３に記載の重要情報の迅速な通知方法。
【請求項５】
前記家電情報ファイルが、各家電端末について、家電端末が稼動状態である場合に該家電端末の傍らに人がいる確度に関する情報をあわせて有し、
前記情報通知機能が、家電端末が稼動状況にあるか否かを判断する機能を有し、
前記システムが、各家電端末が稼動状況にあるか否かを判断し、
前記システムが、稼動状況にあると判断した家電端末について、前記家電情報ファイルを参照して傍らに人がいる確度に応じて順序付け、
前記システムが、前記順序付けた情報に応じて、前記人がいると判断した領域に設置された通知すべき家電端末を特定すること、
を特徴とする請求項３に記載の重要情報の迅速な通知方法。
【発明の詳細な説明】
【０００１】
【発明が属する技術分野】
本発明は、重要情報の迅速な通知方法に関する。
【０００２】
【従来の技術】
複数の場所に分散して配置された各表示装置のうち、利用者が居る場所の表示装置を特定する特定手段と、この特定手段によって特定された表示装置を出力先として指定する出力チャンネル切換手段と、この出力チャンネル切換手段によって出力先として切り換え指定された表示装置に表示情報を配信する配信手段とを具備することにより、利用者がどの場所に移動したとしても、それまで見ていた情報を移動先でも見ることができるようにすることが述べられている。（特許文献１）
センサが天井、壁等に設置され、室内の様子を俯瞰的にモニターし、その情報に基づいて室内機器に制御信号を送信する機器制御装置およびこれによって室内機器の駆動制御を行う制御システムが述べられている。（特許文献２）
【０００３】
【特許文献１】
特開２０００−１８７４７４号公報
【０００４】
【特許文献２】
特開平７−２７１４２６号公報
【０００５】
【発明が解決しようとする課題】
自然災害や事件事故などにおける避難勧告のような通知を行う際に、利用者が傍らにいるであろう端末に情報を送信することで通知を行いたいという要望がある。しかし、単に人体感知センサや端末の使用状況などから人の居場所を判断して通知を行うだけでは、状況判断がつきかねる小さな子供や状況判断力の落ちてきた老人などしかいない場所に対して通知を行ってしまうことがあるという課題があった。
【０００６】
また、携帯電話などの携行品に対して通知する方法では、自宅等にいる場合はカバンの中に入れたまま、あるいは充電などのために身に付けていないことが多く、緊急時の受信には適さないという課題があった。
【０００７】
【課題を解決するための手段】
家電端末が設置されている領域と、家電端末を特定する情報と、家電端末が稼動状態である場合に該家電端末の傍らに人がいる確度に関する情報とを関連付けて有する家電情報ファイルと、家電端末が設置されている複数の領域について優先的に通知すべき領域の順番に関する情報とを関連付けて有する優先順位ファイルと、通知すべき情報を受け取って、家電端末が稼動状況にあるか否かを判断して、稼動状況と前記優先順位ファイルとを参照して通知すべき領域を判断し、前記家電情報ファイルを参照して通知すべき領域に設置されている家電端末を特定し、特定した家電端末に対して通知すべき情報を出力するように指示する情報通知機能と、を有するシステムにおいて、システムが、通知すべき情報を受け取って、各家電端末が稼動状況にあるか否かを判断し、稼動状況にあると判断した家電端末について、家電情報ファイルを参照して傍らに人がいる確度に応じて順序付け、確度に応じて順序付けた情報に応じて、通知すべき家電端末を特定し、特定した家電端末に対して通知すべき情報を出力するよう指示すること、
により解決される。
【０００８】
【発明の実施の形態】
本発明における一実施形態のシステムの構成を例を図１に示す。
【０００９】
センタサーバ１００は、プログラム及びデータを格納するメモリと、メモリ上のプログラムを実行するプロセッサと、利用者に通知すべき情報に関して家庭サーバ３００と通信を行うプログラムとを備え、通信回線９０１を介して、家庭サーバ３００と通信可能なように構成している。
【００１０】
家庭サーバ３００は、プログラム及びデータを格納するメモリと、メモリ上のプログラムを実行するプロセッサを有し、プログラムはＣＤ−ＲＯＭ等の外部記憶装置３０５からメモリ上にロードされる。また、キーボード、マウス、指紋認証装置、音声認識装置などの入力デバイス３０３と、モニタ、プリンタなどの出力デバイス３０１と、居住者に関する情報を記録する家族情報ファイル７１０と、家電端末５００の傍に人がいる可能性と家電端末５００が設置されている領域に関する情報とを関連付けて記録する家電情報ファイル７３０と、領域と、その領域に人がいる場合に、その人が判断能力の高い人であるであるかどうかについて関連付けて記録する優先順位ファイル７５０と、居住者に関する情報と、家電端末５００に関する情報と、その領域に人がいる場合に、その人が判断能力の高い人である可能性についての情報を設定する条件設定機能３１０と、センタサーバ１００から送信された情報を通知すべき場所を判断して通知を行う情報通知機能３３０と、ＩＰｖ６インターネットを利用して情報家電機器を制御するコントローラ３５０とを備え、通信回線９０３を介して利用者端末と通信可能なように構成している。
【００１１】
家電端末５００は、テレビやステレオなどのＡＶ機器、パソコン、エアコン、電話機、照明機器、電話などの通信機器、炊飯器やホットプレートなど調理機器、洗濯機、アイロンといった情報家電機器であり、キーボード、マウス、指紋認証装置、音声認識装置などの入力デバイスと、モニタ、プリンタなどの出力デバイスと個々の機器を識別可能なアドレス番号を持ち、各機器が持つセンサや、設置場所に備えられたセンサにより得られる情報について通信回線９０３を介して家庭サーバ３００と通信可能なように構成している。
【００１２】
センサ５５０は、部屋等に設置された赤外線センサ、光センサなどであり、通信回線９０３を介して、センサが得た情報について家庭サーバ３００あるいは家電端末５００と通信可能なように構成する。
【００１３】
本発明の実施の一例を、図２から図１２を用いて示す。
【００１４】
家族情報ファイル７１０は、図６に示すように、人物を特定する居住者特定コード７１１と、各人物を識別するための、例えば指紋情報や声紋情報などの生体識別情報７１３と、人物がセンタサーバから送られてくる情報について、家族情報ファイルに登録されている人のなかで、その人が理解できる度合いを順番付けた値、例えば親が高く年少の子供になるに従い低くなる、を示す理解度レベル７１５と、第三者がその人物の判断度を理解するための判断材料となる情報を持つ個人情報７１７とを関連付けて持つ。
【００１５】
家電情報ファイル７３０は、図７に示すように家電端末５００を特定する情報である端末ＩＰアドレス７３１と、端末ＩＰアドレス７３１によって示される家電端末５００を示す情報である端末情報７３３と、家電端末５００の設置されている領域を示す情報である所在特定情報７３５と、家電端末５００が使用されていた場合に、その家電端末５００の傍に人がいる可能性を、他の家電端末５００と比べて順番付けるための情報である情報受信確度７３７とを関連付けて持つ。
【００１６】
優先順位ファイル７５０は、家庭サーバ２００や家電端末５００やセンサ５５０が設置された領域７５１について、理解度レベルの高い人がいると想定される順について関連付けて持つように構成する。
【００１７】
家電稼動ファイル７７０は、各家電端末を特定するＩＰアドレス７７１と、各家電端末が稼動状態にあるか否かに関する情報である稼動状況７７３とを関連付けて持つように構成する。
【００１８】
実施の一例として、家庭サーバ３００が、条件設定機能３１０によって条件の設定を行い、家庭サーバ３００が、情報通知機能３３０によって、センタサーバ１００から避難勧告に関する情報を受け付けて、家庭サーバ３００や家電端末５００やセンサ５５０が設置された領域について、避難勧告を受け取って対応することが可能な人物がいるかを判断して出力先を優先付けて判断し、判断した結果にしたがって決定した順に従って家電端末５００に受け付けた避難勧告の情報を出力してゆく例を示す。
【００１９】
あらかじめ設定を行う条件設定機能３１０について図２を用いて説明を行う。
【００２０】
家庭情報受付は、居住者特定コード７１１として名前と、指紋読取装置と音声認識装置から人物を特定する生体識別情報７１３として指紋情報と声紋情報と、センタサーバから送信される情報について、その人が理解できる度合いを順番付けた値を受け付けて、家族情報ファイル７１０に関連付けて格納する。第一の実施例では、図６に示すように、父親である「鈴木太郎」が自らの名前と、指紋と、音声に関する情報を登録し、理解度として登録する家族の中で最も高い「３」を登録し、母親である「鈴木花子」が自らの名前と、指紋と、音声に関する情報を登録し、理解度として登録する家族の中で最も高い「３」を登録し、小学生の息子である「鈴木小太郎」が自らの名前と、指紋と、音声に関する情報を登録し、理解度として登録する家族の中で２番目の「２」を登録し、幼稚園児である「鈴木小花」が自らの名前と、指紋と、音声に関する情報を登録し、理解度として登録する家族の中で最も低い「１」を登録したものとする。（ステップＳ３０１）
優先順位情報登録は、領域と、その領域に人がいる場合に、その人が理解度の高い人である可能性が他の領域と比べて高いか低いかを判断するための情報を利用者から受け付けて、優先順位ファイル７５０に格納する。第一の実施例では利用者から、書斎には理解度の高い鈴木太郎しか入らないため優先度として「６」を、キッチンにいるのは理解度の高い鈴木花子である場合が高いので優先度として「５」を、寝室は鈴木太郎か鈴木花子がいる可能性が高いので、優先度として「４」を、リビングは誰がいてもおかしくない空間なので優先度として「３」を、子供部屋１には、理解度の低い鈴木小太郎である可能性が高いので優先度として「２」を、子供部屋２には、理解度の最も低い鈴木小花である可能性が高いので優先度として「１」という情報を受け付けて、優先順位ファイルに関連付けて格納したものとする。（ステップＳ３０３）
家電検出は、コントローラ３５０が、家庭サーバと通信回線で接続された各家電端末５００を検出して、検出した結果を出力する。一例として、新たな家電端末５００であるところのアドレス「１１１．２２２．３３３．００９」を有する「パソコン」が検出されると、図１２が示すように、検出された家電端末５００に関する情報が表示される。（ステップＳ３０７）
設置場所情報受付は、家電端末５００について、利用者から設置されている領域を特定する情報を受け付ける。第一の実施例では、図１２に示すように、アドレス「１１１．２２２．３３３．００９」を有する「パソコン」に関して「書斎」にあるという情報と、このパソコンに電源が入っていた場合に、傍に人がいる確率を示す情報受信確度が「５」であるという情報を受け付けたものとする。（ステップＳ３０９）
家電情報登録は、ステップＳ３０５からステップＳ３０９を繰り返すことによって得られた情報を、家電情報ファイル７３０に格納する。（ステップＳ３１１）
情報通知３３０について図３から図１２を用いて説明を行う。
通知情報受付は、センタサーバ１００から通知を行うべき情報を受け付ける。第一の実施例では、図１２にしめすような「避難勧告について：台風１０号の接近に伴う風水害の恐れから、１２時３４分に避難勧告が甲地区に対して出されました。最寄りのＡ公民館に避難するようにしてください。」という電文を受け取ったものとする。（ステップＳ５０１）
家電情報収集は、各家電端末の稼動状況に関する情報を受け付けて、受け付けた情報を家電稼動ファイル７７０に格納する。第一の実施例では、家電情報ファイル７３０を参照して、各家電端末５００が持つＩＰアドレスに対してｐｉｎｇコマンドを発行し、正しくＲｅｐｌｙ（応答）が返ってくるかどうかで、該当する家電端末５００が稼動状況か否かを判断するものとする。（ステップＳ５０３）
通知先決定処理は、ステップＳ５０３で受け付けた、各家電端末の稼動状況を元に、情報を通知すべき理解度の高い人がいるであろう領域を優先付けて判断して、ステップＳ５０１で受け取った情報を送信する家電端末５００の順番を決定する。（ステップＳ５０５）
通知先決定処理についての詳細を、図５を用いて説明する。
【００２１】
人所在順ソートは、家電稼動ファイル７７０と、家電情報ファイル７５０とを参照して、稼動状態と判断した家電端末５００について、情報受信確度をキーにしてソートを行う。第一の実施例では、図９に示す家電稼動ファイル７７０が持つ情報と図７に示す家電情報ファイル７３０が持つ情報とから、図１０に示すような作業テーブルを生成する。（ステップＳ９０１）
端末設置領域判定は、人所在順ソートによって生成した情報から、ステップＳ５０１で受け取った情報を送信すべき領域を抽出する。第一の実施例では、情報受信確度が「５」である家電端末「１１１．２２２．３３３．００２」と「１１１．２２２．３３３．００５」について、家電情報ファイルが持つＩＰアドレスと、所在特定情報とを参照して家電端末が設置されている領域を示す所在特定情報として家電端末「１１１．２２２．３３３．００２」が「リビング」と、「１１１．２２２．３３３．００５」が「書斎」と、抽出する。（ステップＳ９０５）
端末設置領域判定において抽出した所在特定情報をキーに優先順位ファイル７５０を参照して、家電端末５００が設置されている領域を、理解度が高い人物がいる領域の順にソートを行う。第一の実施例では、優先順位ファイルから「書斎」を「リビング」よりもステップＳ５０１で受け取った情報を送信すべき領域として上位に扱う。（ステップＳ９０７）
人所在順ソートで生成した情報が持つ情報受信確度ごとに、ステップＳ９０３からステップＳ９０７の処理を繰り返す。第一の実施例ではステップＳ５０１で受け取った情報を送信すべき領域の優先順位として「書斎」＞「リビング」＞「寝室」＞「子供部屋２」が導き出される。（ステップＳ９０９）
通知領域判定は、ステップＳ９０９で導き出した領域の優先順位に、家電情報ファイルを参照して、領域に設置されている端末ついて、情報受信確度を用いてソートを行い、各家電端末について優先付けを行う。第一の実施例では、「書斎」に設置された家電端末のうち、最も情報受信確度の高い「パソコン」である「１１１．２２２．３３３．００９」が最も上位になりついで「書斎」の「テレビ」である「１１１．２２２．３３３．００５」、「リビング」の「パソコン」である「１１１．２２２．３３３．００２」、リビングの「テレビ」である「１１１．２２２．３３３．００１」というように優先付ける。（ステップＳ９１１）通知処理は、通知先決定処理で優先付けた順番で、家電端末５００に対してステップＳ５０１で受け取った情報を出力するように指示する。第一の実施例では、まず、書斎のテレビに対して、ステップＳ５０１で受け取った情報を出力する。（ステップＳ５０７）
確認受付は、ステップＳ５０７で出力を行った端末から、出力を行った情報を利用者が受け取ったという情報を受け付ける。また、受信を確認したという情報とあわせて、受信した人の指紋情報あるいは声紋情報と合わせて受け取る。第一の実施例では、書斎において「鈴木太郎」が確認をしたものとし、鈴木太郎が確認を行う際に、情報端末５００に付属した入力デバイスである指紋認識装置から指紋に関する情報を受け取るものとする。（ステップＳ５０９）
所定時間以内に、確認受付が出力を行った端末から、出力を行った情報を利用者が受け取ったという情報を受け付け無かった場合、たとえば実際には人がいなかった場合には、ステップ５１７に遷移する。（ステップＳ５１１）
確認人確認は、家族情報ファイル７１０を参照して、確認人を特定し、確認人に関する情報を抽出する。第一の実施例では、ステップＳ５０９において受け取った指紋情報をキーに家族情報フィル７１０を参照して、確認人が「鈴木太郎」であり「成人」であるという情報を抽出する。（ステップＳ５１３）
確認通知は、センタサーバに対して、通知すべき情報を通知した旨の電文を送信する。第一の実施例では、通知された情報を受け取ったという情報とあわせて、確認人が「鈴木太郎」であり「成人」であるという情報をセンタサーバ１００に送信する。（ステップＳ５１５）
通知先決定処理で優先付けた家電端末５００において、未送信の家電端末５００があれば次に優先される順番の家電端末５００に対して通知を行うようにステップＳ５０７に遷移して、全ての優先付けた家電端末５００に対する通知が終了していれば、再度家電端末５００の稼動状況を判断して、通知を行うようにステップＳ５０３に遷移する。（ステップＳ５１７）
次に、他の実施形態について説明を行う。
【００２２】
第二の実施例として、まずセンサを用いてある領域に人がいるかどうかを判断し、人がいると判断した領域について、大人がいる可能性の高い領域の端末の順に通知を行う例を図１３から図１６を用いて示す。特に示さない構成については、前述の実施の一例に準じる構成をとっているものとする。
【００２３】
通知情報受付は、センタサーバ１００から通知を行うべき情報を受け付ける。第二の実施例では、図１５にしめすような「避難勧告について：台風１０号の接近に伴う風水害の恐れから、１２時３４分に避難勧告が甲地区に対して出されました。最寄りのＡ公民館に避難するようにしてください。」という電文本体と、受取可能者が「成人」という受取人に関する制限の情報を有する受取人制限とを受け取ったものとする。（ステップＳ７０１）
部屋情報収集は、各領域に設置されたセンサから、領域に人がいるか否かに関する情報と領域を特定する情報を受け取る。第二の実施例で用いるセンサとしては、人の体温を感知して部屋に人がいるか否かを判断する赤外線センサを用いるものとし、センサを各部屋に設置しているものとし、各センサから情報をうけとり、図１６に示すような人所在地テーブルを作成する。人所在地テーブルは、センサが人の存在を確認した空間に１を、センサが人の存在を確認しなかった空間に０を、対象となる空間と関係付けて持つように構成している。（ステップＳ７０３）
家電情報収集は、各家電端末の稼動状況に関する情報を受け付けて、受け付けた情報を家電稼動ファイル７７０に格納する。第一の実施例では、家電情報ファイル７３０を参照して、各家電端末５００が持つＩＰアドレスに対してｐｉｎｇコマンドを発行し、正しくＲｅｐｌｙ（応答）が返ってくるかどうかで、該当する家電端末５００が稼動状況か否かを判断するものとする。（ステップＳ７０４）
理解度順ソートは、部屋情報収集において各領域に設置されたセンサから、領域に人がいるか否かに関する情報を収集した結果、領域に人がいると判断した領域について、優先順位ファイル７５０を参照して、領域に大人がいる確度に応じてソートを行う。第二の実施例では、ステップＳ７０３で作成した人所在地テーブルの情報と、図８に示す優先順位ファイル７５０の情報とから、ステップＳ７０１で受け取った情報を送信すべき領域の優先順位として「書斎」＞「リビング」＞「寝室」＞「子供部屋１」が導き出される。（ステップＳ７０５）
優先順決定は、理解順ソートにおいて判断した情報を送信すべき領域の優先順位に、所在を特定する情報をキーに家電情報ファイル７３０を参照して、情報を送信すべき領域にある家電端末５００を特定し、特定した家電端末について稼動状況か否かを判断し、稼動状況である家電端末５００について、家電情報ファイル５００の持つ情報受信確度７３７を参照して、人が傍にいる確度にしたがってソートを行う。第二の実施例では、家電情報ファイル７３０の持つ情報を図７に示す情報とし、家電端末の稼動状況を図９に示す状況とし、書斎のテレビが最も優先順位が高くなり、以下リビングのパソコン、寝室のパソコン、寝室のテレビと順じ、各家電端末５００が優先付けられる。（ステップＳ７０７）
通知処理は、優先順決定処理で決定した優先順にしたがって指示を行う家電端末５００を判断して、指示を行うと判断した家電端末５００に対して、ステップＳ７０１で受け取った情報を出力するように指示する。第二の実施例では、まず書斎のテレビに、ステップＳ７０７で受け取った、図１５の電文本体が持つ情報を送信する。（ステップＳ７０９）
確認受付は、ステップＳ５０７で出力を行った端末から、出力を行った情報を利用者が受け取ったという情報を受け付ける。また、受信を確認したという情報とあわせて、受信した人の指紋情報あるいは声紋情報と合わせて受け取る。第二の実施例では、たまたま書斎にいた小学生の「鈴木小太郎」が確認をしたものとし、「鈴木小太郎」が確認を行う際に、情報端末５００に付属した入力デバイスである音声認識装置から声紋に関する情報を受け取るものとする。（ステップＳ７１１）
確認人確認は、家族情報ファイル７１０を参照して、確認人を特定し、確認人に関する情報を抽出する。第二の実施例では、ステップＳ７１１において受け取った声紋情報をキーに家族情報フィル７１０を参照して、確認人が「鈴木小太郎」であり、「鈴木小太郎」が「小学生」という情報を抽出する。（ステップＳ７１３）
ステップＳ７０１で受け取った電文が持つ受取人制限に関する情報と、確認人確認で判断した確認人の情報とから、確認人がステップＳ７０１で受け取った電文を確認しうる資格を有しているかを判断し、有していると判断すればテップＳ７１９に、有していないと判断すればステップＳ７１７に遷移する。第二の実施例では、確認人は小学生である「鈴木小太郎」であり、ステップＳ７０１の電文が持つ受取人制限の条件が持つ「成人」の条件を満たさないことから、ステップＳ７１７の処理に遷移する。（ステップＳ７１５）
優先順決定で優先付けした端末で、未送信の端末が残っていれば、ステップＳ７０９の通知処理に遷移し、未送信の端末が残っていなければ、ステップＳ７０３の部屋情報収集処理に遷移する。（ステップＳ７１７）
確認通知は、センタサーバに対して、通知すべき情報を通知した旨の電文を送信する。第二の実施の例では、先のステップＳ７１５においてＳ７０９のステップに遷移しステップＳ７０９以降で２番目の優先順がつけられたリビングのパソコンに通知されて「成人」である「鈴木太郎」が確認をしたものとし、通知された情報を受け取ったという情報とあわせて、確認人が「鈴木太郎」であるという情報をセンタサーバ１００に送信する。（ステップＳ７１９）
次に第三の実施例について説明を行う。
【００２４】
第三の実施例では、領域に人がいるのかいないのか、人がいるならば、その人が大人か子供かを判断可能なセンサを各領域に設置し、大人がいると判断した領域の家電端末を対象として通知を行う例を図１７から図１９を用いて示す。特に示さない構成については、前述の実施の一例、あるいは第二の実施例に準じる構成をとっているものとする。
【００２５】
通知情報受付は、センタサーバ１００から通知を行うべき情報を受け付ける。第二の実施例では、図１５にしめすような「避難勧告について：台風１０号の接近に伴う風水害の恐れから、１２時３４分に避難勧告が甲地区に対して出されました。最寄りのＡ公民館に避難するようにしてください。」という電文本体と、受取可能者が「成人」という受取人に関する制限の情報を有する受取人制限とを受け取ったものとする。（ステップＳ９０１）
部屋情報収集は、各領域に設置されたセンサから、領域に人がいるか否か、人がいる場合はその人が大人か否かに関する情報と領域を特定する情報とを受け取る。第三の実施例で用いるセンサとしては、領域に人がいるのかいないのか、人がいるならば、その人が大人か子供かを判断可能なセンサとして、光が遮断されるか否かで物の存在を判断する発光部と受光部を有する光学センサを異なる高さに設置し、異なる高さのセンサが光の遮断を感知すれば大人がその部屋にいるものと判断し、低いほうのセンサのみが光の遮断を感知すれば人がいるが、その人は子供であると判断する構成のセンサを用いるものとする。第三の実施の一例では、異なる高さとして大人の身長であれば掛かるが、子供であれば掛からない程度の高さ、高校生女子の平均的身長に近い１５７ｃｍと、小学生高学年の男子の平均身長に近い１４５ｃｍの間である、床から１５０ｃｍの位置と、幼稚園児の平均身長に近い１１０ｃｍがかかり、一般的な屋内ペットは掛からない程度の高さである８０ｃｍの位置に光学センサを設置する構成を取るものとする。このような構成をとることにより、一般的な大人がいれば、１５０ｃｍと８０ｃｍのセンサにかかることから大人がいると判断でき、一般的な子供がいれば、８０ｃｍのセンサにのみかかることから、子供がいると判断できる。尚，身長の数値は平成１０年度文部省学校保健統計調査速報のデータを参考にしている。これらのセンサを各部屋に設置しているものとし、各センサから情報をうけとり、図１８に示すような大人所在地テーブルを作成する。大人所在地テーブルは、センサが大人の存在を確認した空間に２を、センサが子供の存在を確認した空間に１を、センサが人の存在を確認しなかった空間に０を、対象となる空間と関係付けて持つように構成している。（ステップＳ９０３）
家電情報収集は、各家電端末の稼動状況に関する情報を受け付けて、受け付けた情報を家電稼動ファイル７７０に格納する。第一の実施例では、家電情報ファイル７３０を参照して、各家電端末５００が持つＩＰアドレスに対してｐｉｎｇコマンドを発行し、正しくＲｅｐｌｙ（応答）が返ってくるかどうかで、該当する家電端末５００が稼動状況か否かを判断するものとする。（ステップＳ９０３）
優先順決定は、大人所在テーブルの情報がもつ大人の存在を確認した空間をキーに、家電情報ファイル７３０を参照して、情報を送信すべき領域にある家電端末５００を特定し、特定した家電端末について稼動状況か否かを判断し、稼動状況である家電端末５００について、家電情報ファイル５００の持つ情報受信確度７３７を参照して、人が傍にいる確度にしたがってソートを行う。第三の実施例では、家電情報ファイル７３０の持つ情報を図７に示す情報とし、家電端末の稼動状況を図９に示す状況とし、リビングのパソコンが最も優先順位が高くなり、以下、寝室のパソコン、寝室のテレビと順じ各家電端末５００が順番付けられる。（ステップＳ９０７）
通知処理は、優先順決定処理で決定した優先順にしたがって指示を行う家電端末５００を判断して、指示を行うと判断した家電端末５００に対して、ステップＳ７０１で受け取った情報を出力するように指示する。第三の実施例では、ステップＳ７０７で受け取った、図１５の電文本体が持つ情報を送信する。（ステップＳ９０９）
確認受付は、ステップＳ９０９で出力を行った端末から、出力を行った情報を利用者が受け取ったという情報を受け付ける。第三の実施例では、リビングにいた「鈴木太郎」が確認をしたものとし、「鈴木太郎」が確認を行う際に、情報端末５００に付属した入力デバイスである音声認識装置から声紋に関する情報を受け取るものとする。（ステップＳ９１１）
確認人確認は、家族情報ファイル７１０を参照して、確認人を特定し、確認人に関する情報を抽出する。第三の実施例では、ステップＳ９１１において受け取った声紋情報をキーに家族情報フィル７１０を参照して、確認人が「鈴木太郎」であり、「鈴木太郎」が「成人」という情報を抽出する。（ステップＳ９１３）ステップＳ７０１で受け取った電文が持つ受取人制限に関する情報と、確認人確認で判断した確認人の情報とから、確認人がステップＳ７０１で受け取った電文を確認しうる資格を有しているかを判断し、有していると判断すればテップＳ７１９に、有していないと判断すればステップＳ９１７に遷移する。第三の実施例では、確認人が成人である「鈴木太郎」であり、ステップＳ７０１の電文が持つ受取人制限の条件が持つ「成人」の条件を満たすことから、ステップＳ９１７の処理に遷移する。（ステップＳ９１５）
優先順決定で優先付けした端末で、未送信の端末が残っていれば、ステップＳ９０９の通知処理に遷移し、未送信の端末が残っていなければ、ステップＳ９０３の部屋情報収集処理に遷移する。（ステップＳ９１７）
確認通知は、センタサーバに対して、通知すべき情報を通知した旨の電文を送信する。第三の実施例では、通知された情報を受け取ったという情報とあわせて、確認人が「鈴木太郎」であるという情報をセンタサーバ１００に送信する。（ステップＳ９１９）
家電情報ファイル７３０には、家電端末５００のみを記載したが、家電端末５００とともにあるいは家電端末５００に替えて、センサ５５０に関する情報を持つように構成してもよい。
【００２６】
条件設定３１０は、条件の設定を一続きの流れの中で設定する例で示したが、各々の設定を独立したルーチンで行えるようにしてもよい。
【００２７】
家電情報収集において、ｐｉｎｇコマンドを発行し、正しくＲｅｐｌｙ（応答）が返ってくるかどうかで、該当する家電端末が稼動状況か否かを判断するとしたが、各家電端末に対して、稼動状況に関する情報を送信するように要求して、詳細な稼動状況に関する情報を受け付けるようにしてもよい。
【００２８】
情報を送信すべき家電端末が稼動状況に無い場合には、該当する家電端末を飛ばして次の家電端末に対して情報を送信するようにしてもよく、あるいは遠隔起動の技術を用いて稼動状況にしてから情報を送信するようにしてもよい。
【００２９】
第二の実施例において、センタサーバから送信する電文が受信者を限定する情報を持ち、受信者が電文の持つ受信者を限定する条件を満たさない場合には、次なる受信者を探す処理を示したが、第二の実施例に限定されるものではなく、第一の実施例に適用させてもよい。
【００３０】
第二の実施例において、確認通知を行う際に、確認人の情報とあわせて、確認をしたが、確認人の条件を満たさなかった者を特定する情報と、確認を行った場所とをあわせてセンタサーバに通知するようにしてもよい。
【００３１】
第二の実施例において、未送信の端末が残っていなければ、ステップＳ７０３の部屋情報収集処理に遷移するとしたが、遷移を行う前に、確認はしたが、確認人の条件を満たさなかった者がいたか否かを確認し、確認はしたが、確認人の条件を満たさなかった者がいた場合には、確認人の条件を満たさなかった者を特定する情報と、確認を行った場所とをセンタサーバに通知するようにしてもよい。
【００３２】
第三の実施例において光センサを用いて大人か子供かを判断する例を用いたが、他の手法により、大人がいるのか、あるいは子供がいるのかを判断させるようにしてもよい。
【００３３】
第三の実施例において、部屋の入り口に光センサを設置して、人の出入りを大人と子供に分けて記録しておくようにし、ステップＳ７０３において部屋情報収集が、人の出入りに関する情報を受け取って、部屋に人がいるのか否か、人がいるのならば大人か子供かを判断するようにしても良い。
【００３４】
第三の実施例において、条件設定において、家族情報ファイルに家族の身長に関する情報を持たせるようにし、センサが身長に関する情報を取得するようにして、取得した身長情報と家族情報ファイルの情報とから、大人か子供かを判断するようにしてもよい。
【００３５】
第二の実施例と第三の実施例において、通知すべき情報を受け付けてから所定時間を経っても確認が無い場合、センサが感知した情報をセンタサーバに送信するようにしてもよい。
【００３６】
条件設定３１０において、家電情報ファイル７３０に、家電端末がディスプレイやスピーカといった出力装置を有するかを記録し、出力を行う対象となる家電端末５００の優先順を決定する際に、家電情報ファイル７３０を参照して、出力装置を有している家電端末５００のみを対象にして優先順を決定するようにしてもよい。
【００３７】
条件設定３１０において、家電情報ファイル７３０に、家電端末５００の出力装置５０１の形態はどのような形態か、例えば画面出力を行うディスプレイか、音声出力を行うスピーカか、を特定する情報をあわせて記録し、通知処理が、センタサーバ１００から受け取った通知すべき情報を家電端末５００の出力装置５０１の形態にあわせて変換する変換機能、例えば受け取った文字形式の電文をスピーカ出力が可能な音声形式の情報に変換する機能を有して、通知処理が家電端末５００に通知を行う際に、家電情報ファイル７３０の出力装置の形態を特定する情報を参照して、出力装置の形態に関する情報に応じて変換機能によって出力すべき情報の形式を変換してから、家電端末５００に対して通知すべき情報を出力するように指示するようにしてもよい。
（付記１）家電端末が設置されている領域と、家電端末を特定する情報と、家電端末が稼動状態である場合に該家電端末の傍らに人がいる確度に関する情報とを関連付けて有する家電情報ファイルと、家電端末が設置されている複数の領域について優先的に通知すべき領域の順番に関する情報とを関連付けて有する優先順位ファイルと、通知すべき情報を受け取って、家電端末が稼動状況にあるか否かを判断して、稼動状況と前記優先順位ファイルとを参照して通知すべき領域を判断し、前記家電情報ファイルを参照して通知すべき領域に設置されている家電端末を特定し、特定した家電端末に対して通知すべき情報を出力するように指示する情報通知機能と、
を有するシステムにおいて実行される方法であって、
前記システムが、通知すべき情報を受け取って、
前記システムが、各家電端末が稼動状況にあるか否かを判断し、
前記システムが、稼動状況にあると判断した家電端末について、前記家電情報ファイルを参照して傍らに人がいる確度に応じて順序付け、
前記システムが、前記確度に応じて順序付けた情報に応じて、通知すべき家電端末を特定し、
前記システムが、前記特定した家電端末に対して通知すべき情報を出力するよう指示すること、
を特徴とする重要情報の迅速な通知方法。
（付記２）前記システムが、前記確度に応じて順序付けた情報と、前記優先順位ファイルの情報とから、通知すべき家電端末を順序付けて特定すること、
を特徴とする付記１に記載の重要情報の迅速な通知方法。
（付記３）前記システムが、前記家電端末が設置されている複数の領域に立ち入る人に関する情報を有する家族情報ファイルをあわせて有し、
前記情報通知機能が、通知すべき情報とあわせて該通知すべき情報を受け取るべき対象に関する情報を受け取り、
前記家電端末が、前記情報通知機能から指示された通知すべき情報を確認する人に関する情報を受け取って、該情報通知機能に返信する機能をあわせて有し、
前記システムが、前記家電端末から前記確認する人に関する情報を受け取って、前記家族情報ファイルの情報と、前記通知すべき情報が有する該通知すべき情報を受け取るべき対象に関する情報とを参照して、前記確認する人が情報を受け取るべき対象の条件を満たすかを判断し、満たさないと判断した場合には、次なる家電端末を特定し、特定した端末に対して通知すべき情報を出力するよう指示すること、
を特徴とする付記１に記載の重要情報の迅速な通知方法。
（付記４）前記家電端末が、前記情報通知機能から指示された通知すべき情報を人が確認したことを返信する機能を有し、
前記システムが、前記家電端末から通知すべき情報を確認したという情報を受け取ると、通知すべき情報の発信元に対して確認したことを示す情報を返信すること、
を特徴とする付記１に記載の重要情報の迅速な通知方法。
（付記５）前記システムが、前記家電端末から通知すべき情報を確認したという情報を受け取ると、通知すべき情報の発信元に対して確認したことを示す情報とあわせて、前記確認する人が情報を受け取るべき対象の条件を満たさないと判断した情報があれば、条件を満たさない人を特定する情報と該条件を満たさない人が確認した領域を特定する情報とを返信すること、
を特徴とする付記３に記載の重要情報の迅速な通知方法。
（付記６）家電端末が設置されている領域と家電端末を特定する情報とを関連付けて有する家電情報ファイルと、家電端末が設置されている複数の領域について優先的に通知すべき領域の順番に関する情報とを関連付けて有する優先順位ファイルと、通知すべき情報を受け取って、前記優先順位ファイルを参照して通知すべき領域を判断して、前記家電情報ファイルを参照して通知すべき領域に設置されている家電端末を特定し、特定した家電端末に対して通知すべき情報を出力するように指示する情報通知機能と、
を有するシステムにおいて実行されるプログラムであって、
通知すべき情報を受け取るステップと、
前記優先順位ファイルを参照して通知すべき領域を判断するステップと、
前記家電情報ファイルを参照して通知すべき領域に設置されている家電端末を特定するステップと、
前記特定した家電端末に対して通知すべき情報を出力するよう指示することステップと、
を有することを特徴とする重要情報の迅速な通知プログラム。
（付記７）家電端末が設置されている領域と家電端末を特定する情報とを関連付けて有する家電情報ファイルと、設置されている領域について人がいるか否かに関する情報を情報通知機能に通知するセンサと、通知すべき情報を受け取って、前記センサから得られる情報を参照して通知すべき領域を判断し、前記家電情報ファイルを参照して通知すべき領域に設置されている家電端末を特定し、特定した家電端末に対して通知すべき情報を出力するように指示する情報通知機能と、
を有するシステムにおいて実行される方法であって、
前記システムが、通知すべき情報を受け取って、
前記システムが、前記センサから領域について人がいるか否かに関する情報を受け取って、前記家電情報ファイルを参照して前記人がいると判断した領域に設置された家電端末を特定し、
前記システムが、前記特定した家電端末に対して通知すべき情報を出力するよう指示すること、
を特徴とする重要情報の迅速な通知方法。
（付記８）前記システムが、家電端末が設置されている複数の領域について優先的に通知すべき領域の順番に関する情報とを関連付けて有する優先順位ファイルを合わせて有し、
前記システムが、前記センサから領域について人がいるか否かに関する情報を受け取って、前記人がいると判断した領域について前期優先順位ファイルを参照して通知すべき情報を出力するように指示をする家電端末の設置された領域を優先付け、優先付けた領域ごとに前記家電情報ファイルを参照して家電端末を順序付けて特定すること、
を特徴とする付記７に記載の重要情報の迅速な通知方法。
（付記９）前記家電情報ファイルが、各家電端末について、家電端末が稼動状態である場合に該家電端末の傍らに人がいる確度に関する情報をあわせて有し、
前記情報通知機能が、家電端末が稼動状況にあるか否かを判断する機能を有し、
前記システムが、各家電端末が稼動状況にあるか否かを判断し、
前記システムが、稼動状況にあると判断した家電端末について、前記家電情報ファイルを参照して傍らに人がいる確度に応じて順序付け、
前記システムが、前記順序付けた情報に応じて、前記人がいると判断した領域に設置された通知すべき家電端末を特定すること、
を特徴とする付記７に記載の重要情報の迅速な通知方法。
（付記１０）前記システムが、前記確度に応じて順序付けた情報と、前記優先順位ファイルの情報とから、通知すべき家電端末を順序付けて特定すること、
を特徴とする付記７に記載の重要情報の迅速な通知方法。
（付記１１）前記センサが、人がいる場合に、該人が大人であるか否かに関する情報をあわせて通知し、
前記システムが、前記センサから情報を受け取って、大人がいると判断した領域について前期優先順位ファイルを参照して通知すべき情報を出力するように指示をする家電端末の設置された領域を優先付け、優先付けた領域ごとに前記家電情報ファイルを参照して通知すべき家電端末を順序付けて特定すること、
を特徴とする付記７に記載の重要情報の迅速な通知方法。
（付記１２）前記システムが、前記家電端末が設置されている複数の領域に立ち入る人に関する情報を有する家族情報ファイルをあわせて有し、
前記情報通知機能が、通知すべき情報とあわせて該通知すべき情報を受け取るべき対象に関する情報をあわせて受け取り、
前記家電端末が、前記情報通知機能から指示された通知すべき情報を確認する人に関する情報を受け取って、該情報通知機能に返信する機能をあわせて有し、
前記システムが、前記家電端末から前記確認する人に関する情報を受け取って、前記家族情報ファイルの情報と、前記通知すべき情報が有する該通知すべき情報を受け取るべき対象に関する情報とを参照して、前記確認する人が情報を受け取るべき対象の条件を満たすかを判断し、満たさないと判断した場合には、次なる家電端末を特定し、特定した端末に対して通知すべき情報を出力するよう指示すること、
を特徴とする付記７に記載の重要情報の迅速な通知方法。
（付記１３）前記システムが、前記家電端末から通知すべき情報を確認したという情報を受け取ると、通知すべき情報の発信元に対して確認したことを示す情報を返信すること、
を特徴とする付記７に記載の重要情報の迅速な通知方法。
（付記１４）前記システムが、前記家電端末から通知すべき情報を確認したという情報を受け取ると、通知すべき情報の発信元に対して確認したことを示す情報とあわせて、前記確認する人が情報を受け取るべき対象の条件を満たさないと判断した情報があれば、条件を満たさない人を特定する情報と該条件を満たさない人が確認した領域を特定する情報とをあわせて返信すること、
を特徴とする付記７に記載の重要情報の迅速な通知方法。
（付記１５）前記システムが、所定時間を経過しても、前記家電端末から情報を受け取るべき対象の条件を満たす人が情報を受け取ったという情報を受け取れない場合に、通知すべき情報が通知できていないという情報とあわせて、前記センサから受け取った情報を、通知すべき情報の発信元対して返信すること、
を特徴とする付記７に記載の重要情報の迅速な通知方法。
（付記１６）家電端末が設置されている領域と家電端末を特定する情報とを関連付けて有する家電情報ファイルと、設置されている領域について人がいるか否かに関する情報を情報通知機能に通知するセンサと、通知すべき情報を受け取って、前記センサから得られる情報を参照して通知すべき領域を判断し、前記家電情報ファイルを参照して通知すべき領域に設置されている家電端末を特定し、特定した家電端末に対して通知すべき情報を出力するように指示する情報通知機能と、
を有するシステムにおいて実行されるプログラムであって、
通知すべき情報を受け取るステップと、
前記センサから領域について人がいるか否かに関する情報を受け取って、前記家電情報ファイルを参照して前記人がいると判断した領域に設置された家電端末を特定するステップと、
前記特定した家電端末に対して通知すべき情報を出力するよう指示するステップと、
を有することを特徴とする重要情報の迅速な通知プログラム。
【００３８】
【発明の効果】
家電端末の稼動状態から、人が傍にいると思われる家電端末に対して通知がなされるようになるので、緊急情報などの重要な情報を迅速に伝えることが可能になる。
【００３９】
また、自然災害や事件事故などにおける避難勧告のような通知を受け取った際に、通知に対して対応が可能な人がいるであろうと思われる場所に設置された端末に対して自動的に通知がなされることで、状況判断がつきかねる小さな子供や状況判断力の落ちてきた老人が誤って受信してしまうことを防止できる。
【００４０】
また、誰が受信したか、受信した際に、どこにどのような人がいたのかを、センタサーバに自動的に返信することで、センタ側に状況が伝わり、センタ側での救助計画の立案などに役立てることが可能になる。
【図面の簡単な説明】
【図１】一実施形態のシステムの構成例を示す図
【図２】条件設定の処理の流れを示す図
【図３】第一の実施例における情報通知の流れを示す第１の図
【図４】第一の実施例における情報通知の流れを示す第２の図
【図５】通知先決定の処理の流れを示す図
【図６】家族情報ファイルの一例を示す図
【図７】家電情報ファイルの一例を示す図
【図８】優先順位ファイルの一例を示す図
【図９】家電稼動ファイルの一例を示す図
【図１０】作業テーブルの一例を示す図
【図１１】第一の実施例におけるセンタサーバから受信した受信電文を示す図
【図１２】検出された家電端末の情報を入力する画面例を示す図
【図１３】第二の実施例における情報通知の流れを示す第１の図
【図１４】第二の実施例における情報通知の流れを示す第２の図
【図１５】第二の実施例におけるセンタサーバから受信した受信電文を示す図
【図１６】人所在テーブルの一例を示す図
【図１７】第三の実施例における情報通知の流れを示す第１の図
【図１８】第三の実施例における情報通知の流れを示す第２の図
【図１９】大人所在テーブルの一例を示す図
【符号の説明】
１００  センタサーバ
３００  家庭サーバ
３０１  家庭サーバの出力装置
３０３  家庭サーバの入力装置
３０５  補助記憶装置
３１０  条件設定機能
３３０  情報通知機能
３５０  生体情報識別機能
５００  家電端末
５０１  家電端末の出力装置
５０３  家電端末の入力装置
５５０  センサ
７１０  家族情報ファイル
７３０  家電情報ファイル
７５０  優先順位ファイル
９０１、９０３  通信回線
【図１】
2004295218.tif 000003
【図２】
2004295218.tif 000004
【図３】
2004295218.tif 000005
【図４】
2004295218.tif 000006
【図５】
2004295218.tif 000007
【図６】
2004295218.tif 000008
【図７】
2004295218.tif 000009
【図８】
2004295218.tif 000010
【図９】
2004295218.tif 000011
【図１０】
2004295218.tif 000012
【図１１】
2004295218.tif 000013
【図１２】
2004295218.tif 000014
【図１３】
2004295218.tif 000015
【図１４】
2004295218.tif 000016
【図１５】
2004295218.tif 000017
【図１６】
2004295218.tif 000018
【図１７】
2004295218.tif 000019
【図１８】
2004295218.tif 000020
【図１９】
2004295218.tif 000021